(57)【要約】【課題】複数の電子機器を接続したネットワークの低コストを実現する。【解決手段】他の電子機器との間での通信ＩＣ３１の処理及びカメラ制御装置３２の動作が遠隔制御されるカメラ機器４と、カメラ機器４を遠隔制御するためのカメラ遠隔制御ユニット６５を備えたサブディスプレイ機器３とを有する。サブディスプレイ機器３では、内部の通信ＩＣ制御モジュール６１及びユニット情報管理ユニット６２により通信処理をし、ディスプレイユニット６３及びスイッチユニット６４によりアプリケーション処理をする。カメラ遠隔制御ユニット６５では、カメラ機器４の通信ＩＣ３１を制御するための通信用プログラムデータ及びカメラ制御装置３２の動作を制御するアプリケーション用プログラムデータに従った処理をする。【選択図】      図１
2004266564.tif 000002
【特許請求の範囲】
【請求項１】
複数の電子機器を伝送路を介して接続し、各電子機器が他の電子機器との間にてデータ伝送をする通信システムにおいて、
他の電子機器により通信処理及びアプリケーション処理が伝送路を介した遠隔制御される遠隔制御電子機器と、
他の電子機器との間でデータ伝送をするための通信処理を実行するための第１通信用プログラムデータ、及び前記伝送路を介して通信をするデータを使用した処理をするアプリケーション処理を実行するための第１アプリケーション用プログラムデータを記憶すると共に、前記遠隔制御電子機器の通信処理を制御する第２通信用プログラムデータ及び前記遠隔制御電子機器のアプリケーション処理を制御する第２アプリケーション用プログラムデータを記憶する記憶手段と、前記第１通信用プログラムデータを実行して通信処理をすると共に前記第１アプリケーション用プログラムデータを実行してアプリケーション処理を実行する第１処理手段と、前記第２通信用プログラムデータを実行して前記遠隔制御電子機器の通信処理を制御すると共に前記第２アプリケーション用プログラムデータを実行して前記遠隔制御電子機器のアプリケーション処理を制御する遠隔制御手段とを有する電子機器と
を備えることを特徴とする通信システム。
【請求項２】
複数の電子機器の通信処理を制御するマスタユニットを何れかの電子機器に実装し、
前記遠隔制御手段は、システム起動時において、遠隔制御の対象となる遠隔制御電子機器を検出する処理をし、当該検出した遠隔制御電子機器を前記マスタユニットに登録することを特徴とする請求項１に記載の通信システム。
【発明の詳細な説明】
【０００１】
【発明の属する技術分野】
本発明は、複数の電子機器が伝送路を介して接続され、各電子機器間にて信号を送受信するための通信システムに関する。
【０００２】
【従来の技術】
従来より、車両内でデータを伝送するデータ伝送システムとしては、光ファイバケーブルを車両内に施設し、光ファイバケーブルを用いてコマンド等の非時系列データや、ビデオデータ等の時系列データを伝送するものが知られている。
【０００３】
このデータ伝送システムにおいて、時系列のオーディオデータやビデオデータ等を伝送することを目的とした同期式リング型ネットワークがある。この同期式リング型ネットワークでは、リング状に各通信機器を接続し、データ伝送タイミングを各通信機器間にて同期させてデータ伝送を行う。
【０００４】
このようなリング型通信ネットワークの一構成例を図７に示す。このリング型ネットワークでは、各電子機器１０１〜１０４を光伝送路１００を介して接続してなり、各電子機器１０１〜１０４に設けられた通信ＩＣ（Ｉｎｔｅｇｒａｔｅｄ  Ｃｉｒｃｕｉｔ）１１１、通信ＩＣ１２１、通信ＩＣ１３１、通信ＩＣ１４１間にて光信号の送受信が可能となっている。
【０００５】
電子機器１０１は例えば車両の運転席から操作可能なメインディスプレイ機器であり、電子機器１０２はサブディスプレイ機器、電子機器１０３はカメラ機器、電子機器１０４はＤＶＤ（Ｄｉｇｉｔａｌ  Ｖｉｄｅｏ  Ｄｉｓｃ／Ｄｉｇｉｔａｌ  Ｖｅｒｓａｔｉｌｅ  Ｄｉｓｃ）機器となっている。
【０００６】
電子機器１０１〜１０４には、ＣＰＵ（Ｃｅｎｔｒａｌ  Ｐｒｏｃｅｓｓｉｎｇ  Ｕｎｉｔ）１１２、ＣＰＵ１２２、ＣＰＵ１３２、ＣＰＵ１４２が実装されており、当該ＣＰＵ１１２、ＣＰＵ１２２、ＣＰＵ１３２、ＣＰＵ１４２内の通信ＩＣ制御モジュールにて各通信ＩＣ１１１、通信ＩＣ１２１、通信ＩＣ１３１、通信ＩＣ１４１による通信を制御する。これにより、リング型ネットワークでは、何れかの電子機器から送信した光信号を電子機器１０１、電子機器１０２、電子機器１０３、電子機器１０４の順に中継すると共に、自己に送信された光信号を受信可能となっている。なお、このリング型ネットワークでは、各電子機器１０１〜１０４にユニット情報管理ユニットがそれぞれ実装されており、自己のユニット情報を記憶・管理している。
【０００７】
また、このリング型ネットワークにおいては、電子機器１０１がマスタ機器となっており、他のスレーブ機器である電子機器１０２〜１０４の通信を制御する。電子機器１０１は、例えば主として運転手に操作可能となっており、内部にネットワークマスタユニットを実装している。
【０００８】
そして、このリング型ネットワークにおいては、電子機器１０１にディスプレイユニット及びスイッチユニットを実装することでユーザの操作に応じた各種情報の表示や操作を可能とし、電子機器１０２にディスプレイユニット及びスイッチユニットを実装し、電子機器１０３にカメラユニットを実装し、電子機器１０４にＤＶＤユニットを搭載している。これにより、リング型ネットワークでは、カメラ情報やＤＶＤ情報、スイッチ情報の伝送を可能とし、スイッチ操作に応じて各種情報を表示可能となっている。
【０００９】
例えば、電子機器１０３では、その内部概略構成を図８に示すように、通信ＩＣ１３１及びＣＰＵ１３２が他の電子機器との間で通信をするためのコントロールポートとして機能し、ＣＰＵ１３２及びカメラ制御装置１３３がカメラコントロールポートとして機能する。そして、この電子機器１０３では、マスタ機器たる電子機器１０１からのカメラ制御命令を通信ＩＣ１３１にて受信することで、ＣＰＵ１３２によりその旨を認識し、カメラ制御装置１３３を制御して、当該カメラ制御部１３３による撮像処理等をする。そして、カメラ制御部１３３により撮像された映像データは、画像圧縮部１３４により圧縮処理をされて、ＣＰＵ１３２の制御に従って通信ＩＣ１３１から電子機器１０１に送られて、表示処理に使用される。
【００１０】
【発明が解決しようとする課題】
しかしながら、従来の同期式リング型ネットワークでは、電子機器１０１〜１０４の全てに通信ＩＣ１１１〜１１４及びＣＰＵ１１２〜１４２、並びに各機器ごとの機能ユニットを実装するようにしており、例えばカメラ制御のような簡単な機能であっても、ＣＰＵ１３２によりカメラ制御装置１３３などを制御する必要があり、更には通信ＩＣ１３１の通信処理をＣＰＵ１３２にて制御する必要があった。したがって、リング型ネットワークを構成する上では、各電子機器に通信制御及びアプリケーション処理をするためのプログラムを記憶させるメモリや、当該プログラムを実行するＣＰＵを必ず実装する必要があり、更には、各電子機器の機能よりも性能が高いＣＰＵを実装することもあり、システム全体でのコストを低減することが困難であった。
【００１１】
そこで、本発明は、上述した実情に鑑みて提案されたものであり、複数の電子機器を接続したネットワークの低コストを実現することができる通信システムを提供することを目的とする。
【００１２】
【課題を解決するための手段】
本発明は、複数の電子機器を伝送路を介して接続し、各電子機器が他の電子機器との間にてデータ伝送をする通信システムにおいて、他の電子機器により通信処理及びアプリケーション処理が伝送路を介した遠隔制御される遠隔制御電子機器と、他の電子機器との間でデータ伝送をするための通信処理を実行するための第１通信用プログラムデータ、又は前記伝送路を介して通信をするデータを使用した処理をするアプリケーション処理を実行するための第１アプリケーション用プログラムデータを記憶すると共に、前記遠隔制御電子機器の通信処理を制御する第２通信用プログラムデータ及び前記遠隔制御電子機器の第２アプリケーション処理を制御するアプリケーション用プログラムデータを記憶する記憶手段と、前記第１通信用プログラムデータを実行して通信処理をすると共に前記第１アプリケーション用プログラムデータを実行してアプリケーション処理を実行する第１処理手段と、前記第２通信用プログラムデータを実行して前記遠隔制御電子機器の通信処理を制御すると共に前記第２アプリケーション用プログラムデータを実行して前記遠隔制御電子機器のアプリケーション処理を制御する遠隔制御手段とを有する電子機器とを備えることで、上述の課題を解決する。
【００１３】
【発明の実施の形態】
以下、本発明の実施の形態について図面を参照して説明する。
【００１４】
本発明は、例えば図１に示すようなリング型通信システムに適用される。なお、本例では、複数の電子機器をリング状に接続するネットワークについて説明するが、バス型のネットワークであっても本発明が適用可能である。
【００１５】
［リング型通信システムの構成］
このリング型通信システムは、車両内に複数の電気機器を配設し、当該複数の電子機器を光通信ライン１を介して接続して構成されている。このリング型通信システムを構成する電子機器としては、例えば車両の運転者から操作可能なメインディスプレイ機器２、車両後部座席付近に設けられるサブディスプレイ機器３、車両後方を撮像するためのカメラ機器４及びＤＶＤ機器５が光通信ライン１にて接続されてなる。なお、以下の説明においては、メインディスプレイ機器２、サブディスプレイ機器３、カメラ機器４及びＤＶＤ機器５を総称するときには、単に「電子機器２〜５」と呼ぶ。
【００１６】
このリング型通信システムでは、電子機器２〜５を光通信ライン１を介して接続してなり、各電子機器２〜５に設けられた通信ＩＣ１１、通信ＩＣ２１、通信ＩＣ３１、通信ＩＣ４１間にて光信号の送受信が可能となっている。
【００１７】
メインディスプレイ機器２、サブディスプレイ機器３及びＤＶＤ機器５には、それぞれＣＰＵ１２、ＣＰＵ２２、ＣＰＵ４２が実装されており、通信処理を制御する。すなわち、メインディスプレイ機器２、サブディスプレイ機器３及びＤＶＤ機器５には、通信制御プログラムがメモリに記憶されており、通信ＩＣ１１、通信ＩＣ２１、通信ＩＣ４１の通信処理を制御する通信ＩＣ制御モジュール５１、通信ＩＣ制御モジュール６１、通信ＩＣ制御モジュール７１及びユニット情報管理ユニット５２、ユニット情報管理ユニット６２、ユニット情報管理ユニット７２を実装していることになる。
【００１８】
特に、メインディスプレイ機器２は、マスタ機器として機能して、他のスレーブ機器（サブディスプレイ機器３、カメラ機器４、ＤＶＤ機器５）の通信処理を制御するためのネットワークマスターユニット５３を実装している。これにより、メインディスプレイ機器２では、各ユニット及び通信ＩＣのアドレス管理、ユニット間のデータ入出力が制御可能となっている。
【００１９】
また、メインディスプレイ機器２、サブディスプレイ機器３及びＤＶＤ機器５には、各ＣＰＵ１２、ＣＰＵ２２、ＣＰＵ４２にアプリケーション制御プログラムを記憶しており、アプリケーション処理を制御する。
【００２０】
具体的には、メインディスプレイ機器２は、ディスプレイユニット５４及びスイッチユニット５５が実装され、入力したデータを表示処理すると共に、図示しない操作入力機構が操作されたことに応じた操作入力命令を生成する。また、サブディスプレイ機器３は、ディスプレイユニット６３及びスイッチユニット６４が実装され、入力したデータを表示処理すると共に、図示しない操作入力機構が操作されたことに応じた操作入力命令を生成する。更に、ＤＶＤ機器５は、ＤＶＤユニット７３を実装して、入力した操作入力命令に応じてＤＶＤデータを再生する。
【００２１】
更に、サブディスプレイ機器３には、ＣＰＵ２２に、カメラ機器４を遠隔制御するためのカメラ遠隔制御ユニット６５が実装されている。このカメラ遠隔制御ユニット６５では、カメラ機器４の通信ＩＣ３１の通信処理を制御するための通信ＩＣ制御モジュールとして機能し、隣接するサブディスプレイ機器３及びＤＶＤ機器５との間でのデータ通信を可能とする。また、このカメラ遠隔制御ユニット６５は、カメラ機器４のカメラ制御装置３２の動作を制御する。カメラ制御装置３２は、例えば光学系やＣＣＤ（Ｃｈａｒｇｅ  Ｃｏｕｐｌｅｄ  Ｄｅｖｉｃｅ）撮像機構を有する。これにより、カメラ遠隔制御ユニット６５は、カメラ機器４のアプリケーション処理を制御し、カメラ制御装置３２による撮像開始及び撮像停止、ズーム等を制御する。
【００２２】
このカメラ機器４は、図２に示すように、通信ＩＣ３１及びカメラ制御装置３２がカメラコントロールポートとして機能し、カメラ制御装置３２により撮像したカメラデータを画像圧縮部３３を介して通信ＩＣ３１から送信可能となっている。このとき、カメラ機器４では、カメラ遠隔制御ユニット６５からの通信制御コマンドに従って通信ＩＣ３１によりカメラデータの送信処理をする。
【００２３】
［各電子機器のマスターユニットへの登録処理］
つぎに、上述したように構成されたリング型通信システムにより、サブディスプレイ機器３、カメラ機器４及びＤＶＤ機器５が相互に通信をするために、ネットワークマスターユニット５３に登録するための処理について図３を参照して説明する。
【００２４】
このマスターユニットへの登録処理は、例えば、リング型通信システムが起動された際に、先ず、電子機器２〜５の電源がオン状態とされる。これにより、電子機器２〜５を構成する上述の各部が起動して、ネットワーク通信可能状態となる。
【００２５】
サブディスプレイ機器３では、内部にカメラ遠隔制御ユニット６５を実装しており、遠隔制御ユニットを認識するために遠隔制御機器検出処理をする。この遠隔制御機器検出処理では、ネットワーク通信可能状態になった後に、先ず、メインディスプレイ機器２の通信ＩＣ１１に通信ＩＣ状態レジスタ読み取り要求Ｃ１を送信する。これに応じ、通信ＩＣ１１では、メインディスプレイ機器２が遠隔制御ユニットではないので、通信処理が遠隔制御されないことを示す情報を含む通信ＩＣ状態レジスタ読み取り応答Ｒ１をカメラ遠隔制御ユニット６５に返信する。これにより、カメラ遠隔制御ユニット６５では、遠隔制御の対象がメインディスプレイ機器２では無いことを認識する。
【００２６】
次に、カメラ遠隔制御ユニット６５では、カメラ機器４に通信ＩＣ状態レジスタ読み取り要求Ｃ２を送信する。これに応じて、カメラ機器４の通信ＩＣ３１では、自身に通信ＩＣ制御モジュールが実装されておらず通信が遠隔制御されることを示す情報を含む通信ＩＣ状態レジスタ読み取り応答Ｒ２を返信する。これにより、カメラ遠隔制御ユニット６５は、遠隔制御の対象がカメラ機器４であることを認識する。
【００２７】
次に、カメラ遠隔制御ユニット６５では、カメラ制御処理を制御するためのカメラ制御装置３２を有する電子機器を認識するために機器識別番号要求Ｃ３をカメラ機器４に送信する。この機器識別番号要求Ｃ３は、カメラ機器４の通信ＩＣ３１を介して、カメラ制御装置３２に送られる。これに応じて、カメラ制御装置３２では、内部に保持した機器識別番号を読み出して、当該機器識別番号を含む機器識別番号応答Ｒ３をカメラ遠隔制御ユニット６５に返信する。これにより、カメラ遠隔制御ユニット６５では、遠隔制御の対象となるカメラ制御装置３２のアドレスを認識し、カメラ機器４の通信処理及びアプリケーション処理が遠隔制御可能となる。
【００２８】
また、メインディスプレイ機器２のネットワークマスターユニット５３では、他のスレーブ機器にユニット情報要求を送る。ネットワークマスターユニット５３では、先ず、通信ＩＣ１１を介してユニット情報要求Ｃ４を、サブディスプレイ機器３のユニット情報管理ユニット６２送る。これに応じて、サブディスプレイ機器３では、通信ＩＣ２１を介してユニット情報管理ユニット６２によりユニット情報要求Ｃ４を受信すると、ユニット情報応答Ｒ４を返信する。このとき、ユニット情報管理ユニット６２では、サブディスプレイ機器３が有するユニット、すなわちディスプレイユニット６３、スイッチユニット６４及びカメラ遠隔制御ユニット６５のユニット情報を含むユニット情報応答Ｒ４を生成して、通信ＩＣ２１を介して返信する。これにより、ネットワークマスターユニット５３では、サブディスプレイ機器３に実装された各ユニットを認識することで、カメラ遠隔制御ユニット６５がカメラ機器４の通信ＩＣ３１及びカメラ制御装置３２を制御する機器として認識する。
【００２９】
次に、ネットワークマスターユニット５３では、カメラ機器４にユニット情報要求Ｃ５を送ると、カメラ機器４にはユニット情報管理ユニットが存在しないためにユニット情報応答の返信がなされない。
【００３０】
次に、ネットワークマスターユニット５３では、ＤＶＤ機器５にユニット情報要求Ｃ６を送ると、ＤＶＤユニット７３のユニット情報を含むユニット情報応答Ｒ６を受信して、ＤＶＤ機器５に実装された各ユニットを認識する。
【００３１】
なお、この説明では、登録処理と遠隔制御機器検出処理とを同時に行う場合について説明したが、当該遠隔制御機器検出処理が完了する前にユニット情報要求がネットワークマスターユニット５３からサブディスプレイ機器３に送られた場合には、遠隔制御機器検出処理が完了した後にユニット情報応答を返信することになる。
【００３２】
［チャンネル確保処理］
上述したようなマスターユニットへの登録処理が完了した状態にて、図示しないカメラ映像を表示するための操作がメインディスプレイ機器２に対してなされると、図４に示すように、スイッチユニット５５によりその旨を認識してカメラ表示要求Ｃ１１をネットワークマスターユニット５３に送り、リング型通信システムでは、チャンネル確保処理を開始する。このチャンネル確保処理は、電子機器２〜５にてフレームを中継させながら巡回させるときに、伝送するデータを格納するフレーム内のチャンネルを確保する処理である。
【００３３】
これにより、ネットワークマスターユニット５３では、カメラデータをカメラ機器４からメインディスプレイ機器２に送信するためのチャンネルを設定するために、サブディスプレイ機器３のカメラ遠隔制御ユニット６５にカメラデータ用チャンネル確保要求Ｃ１２を送信する。このとき、ネットワークマスターユニット５３では、カメラ機器４のアドレスではなく、上述の登録処理にて認識したカメラ遠隔制御ユニット６５のアドレスを参照する。
【００３４】
次に、カメラ遠隔制御ユニット６５は、カメラデータを受信するメインディスプレイ機器２の通信ＩＣ１１にチャンネル確保要求Ｃ１３を送信する。これに応じて、メインディスプレイ機器２の通信ＩＣ１１は、カメラデータを受信するためのチャンネルを確保し、確保したチャンネル番号を含むチャンネル確保応答Ｒ１３をカメラ遠隔制御ユニット６５に返信する。
【００３５】
そして、カメラ遠隔制御ユニット６５では、メインディスプレイ機器２にてチャンネルが確保されたことに応じて、チャンネル確保応答Ｒ１３に含まれるチャンネル番号から、チャンネルデータ入力設定情報Ｓ１を作成して、カメラ機器４の通信ＩＣ３１に送信する。これに応じて、カメラ機器４の通信ＩＣ３１は、指定されたチャンネル番号にてカメラデータを送信するためのチャンネルが正常に設定されると、チャンネルデータ入力設定完了情報Ｓ２をサブディスプレイ機器３の通信ＩＣ２１に送信する。これにより、カメラ機器４の通信ＩＣ３１では、カメラデータを送信するチャンネル確保が正常に行われたことをカメラ遠隔制御ユニット６５に通知する。
【００３６】
次に、カメラ遠隔制御ユニット６５では、カメラ機器４の通信ＩＣ３１にて、カメラデータをメインディスプレイ機器２に送信するためのチャンネルが確保完了したことを示すカメラデータ用チャンネル確保応答Ｒ１３をネットワークマスターユニット５３に送る。
【００３７】
このような処理を行うことで、メインディスプレイ機器２にてカメラ機器４で撮像したカメラデータを表示するための通信設定をカメラ遠隔制御ユニット６５により実行可能となる。
【００３８】
［コマンド送信処理］
つぎに、上述したようにチャンネル確保処理が行われることで、メインディスプレイ機器２によりカメラ機器４を制御するコマンド送信処理について図５を参照して説明する。
【００３９】
このコマンド送信処理では、図示しない操作入力機構にカメラ角度を調整する操作がなされると、スイッチユニット５５により、その旨の要求をするためのカメラ角度調整要求Ｃ２１を生成し、通信ＩＣ制御モジュール５１及び通信ＩＣ１１を介してサブディスプレイ機器３に送信する。このとき、通信ＩＣ制御モジュール５１では、ネットワークマスターユニット５３からカメラ遠隔制御ユニット６５を実装したサブディスプレイ機器３のアドレスを取得し、カメラ角度調整要求の送信元をスイッチユニット５５のアドレスとし、送信先をカメラ遠隔制御ユニット６５のアドレスとして送信処理をするように通信ＩＣ１１を制御する。
【００４０】
サブディスプレイ機器３では、光通信ライン１を介して通信ＩＣ２１によりカメラ角度調整要求Ｃ２１を受信すると、通信ＩＣ制御モジュール６１によりカメラ遠隔制御ユニット６５を送信先として指定した光信号であると認識して、カメラ角度調整要求Ｃ２１をカメラ遠隔制御ユニット６５に送る。カメラ遠隔制御ユニット６５では、カメラ角度調整要求Ｃ２１が送られると、遠隔制御機器検出処理にて取得したアドレスを送信先のアドレスとして遠隔角度調整要求Ｃ２２を通信ＩＣ制御モジュール６１及び通信ＩＣ２１を介して送信する。
【００４１】
そして、カメラ機器４では、遠隔角度調整要求Ｃ２２を含む光信号を通信ＩＣ３１にて受信すると、自己を送信先とした光信号と認識して、カメラ制御装置３２に送る。これにより、カメラ制御装置３２では、光信号に含まれる角度調整要求Ｃ２３を入力して、当該角度調整要求Ｃ２３に従った動作をし、メインディスプレイ機器２のアドレスを送信先のアドレスとしたカメラデータを含む光信号を送信する。
【００４２】
［チャンネル解放処理］
つぎに、上述したようなコマンド送信処理をして、カメラ制御装置３２を制御しながらメインディスプレイ機器２にてカメラデータの表示処理を行っているときに、メインディスプレイ機器２とカメラ機器４との間で設定されていたチャンネルを解放するチャンネル解放処理について図６を参照して説明する。
【００４３】
このチャンネル解放処理は、メインディスプレイ機器２のメインディスプレイにてカメラデータを表示させているときに、ＤＶＤ映像を表示する操作がなされた場合、スイッチユニット５５からネットワークマスターユニット５３にカメラ停止要求Ｃ３１が送られることで、開始される。
【００４４】
これに応じて、ネットワークマスターユニット５３では、カメラデータをカメラ機器４からメインディスプレイ機器２に送信するためのチャンネルを解放するために、サブディスプレイ機器３のカメラ遠隔制御ユニット６５にカメラデータ用チャンネル解放要求Ｃ３２を送信する。
【００４５】
次に、カメラ遠隔制御ユニット６５では、チャンネルデータ入力停止設定情報Ｓ１１をカメラ機器４の通信ＩＣ３１に送信する。チャンネルデータ入力停止設定情報Ｓ１１は、チャンネル確保処理にて確保したチャンネルにカメラデータを入力することを停止することを示す情報である。これに応じて、カメラ機器４の通信ＩＣ３１は、指定されたチャンネル番号にてカメラデータを送信するためのチャンネルの解放を認識すると、チャンネルデータ入力停止設定完了情報Ｓ１２をカメラ遠隔制御ユニット６５に送信する。これにより、カメラ機器４の通信ＩＣ３１では、チャンネル解放が正常に行われたことをカメラ遠隔制御ユニット６５に通知する。
【００４６】
次に、カメラ遠隔制御ユニット６５は、カメラデータを受信するメインディスプレイ機器２の通信ＩＣ１１にチャンネル解放要求Ｃ３３を送信する。これに応じて、メインディスプレイ機器２の通信ＩＣ１１は、カメラデータを受信するためのチャンネルを解放し、解放したチャンネル番号を含むチャンネル解放応答Ｒ３３をカメラ遠隔制御ユニット６５に返信する。
【００４７】
次に、カメラ遠隔制御ユニット６５では、カメラ機器４の通信ＩＣ３１にて、カメラデータをメインディスプレイ機器２に送信するためのチャンネルが解放完了したことを示すカメラデータ用チャンネル解放応答Ｒ３２をネットワークマスターユニット５３に送る。
【００４８】
このような処理を行うことで、メインディスプレイ機器２にてカメラ機器４で撮像したカメラデータを表示するための通信設定をカメラ遠隔制御ユニット６５により実行可能となる。
【００４９】
［実施形態の効果］
以上詳細に説明したように、本発明を適用したリング型通信システムによれば、通信処理及びアプリケーション処理を制御するプログラムを記憶するメモリ及び当該プログラムを実行するためのＣＰＵを搭載していない遠隔制御機器（本例ではカメラ機器４）を設け、当該遠隔制御機器の通信処理及びアプリケーション処理を他の電子機器（本例ではサブディスプレイ機器３）に実装して遠隔制御機器の通信処理及びアプリケーション処理を制御することができ、複数の電子機器を接続したネットワークの低コスト化、遠隔制御機器の小型化を実現することができる。
【００５０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００５１】
すなわち、上述した一例では、各電子機器を光通信ライン１等にて接続した場合について説明したが、これに限らず、全ての伝送路が電線にて構成されたシステムや、リング型ネットワーク以外のバス型のシステムであっても本発明が適用可能であることは勿論である。
【００５２】
【発明の効果】
本発明によれば、通信処理及びアプリケーション処理を制御するプログラムデータを記憶する記憶手段及び当該プログラムデータを実行するための処理手段を搭載していない遠隔制御電子機器を設け、当該遠隔制御電子機器の通信処理及びアプリケーション処理を他の電子機器に実装して遠隔制御電子機器の通信処理及びアプリケーション処理を制御することができ、複数の電子機器を接続したネットワークの低コスト化、遠隔制御機器の小型化を実現することができる。
【図面の簡単な説明】
【図１】本発明を適用した光通信システムの構成を示すブロック図である。
【図２】カメラ機器の構成を示すブロック図である。
【図３】本発明を適用した光通信システムにおいて、マスタユニットへの登録処理の処理手順を示す図である。
【図４】本発明を適用した光通信システムにおいて、カメラ機器のチャンネルを確保する処理を示す図である。
【図５】本発明を適用した光通信システムにおいて、メインディスプレイ機器からカメラ機器にコマンドを送信する処理を示す図である。
【図６】本発明を適用した光通信システムにおいて、カメラ機器のチャンネルを解放する処理を示す図である。
【図７】従来の光通信システムの構成を示すブロック図である。
【図８】従来のカメラ機器の構成を示すブロック図である。
【符号の説明】
１  光通信ライン
２  メインディスプレイ機器
３  サブディスプレイ機器
４  カメラ機器
５  ＤＶＤ機器
１１，２１，３１，４１  通信ＩＣ
１２，２２，３２，４２  ＣＰＵ
３２  カメラ制御装置
３３  画像圧縮部
５１，６１，７１  通信ＩＣ制御モジュール
５２，６２，７２  ユニット情報管理ユニット
５３  ネットワークマスターユニット
５４，６３  ディスプレイユニット
５５，６４  スイッチユニット
６５  カメラ遠隔制御ユニット
７３  ＤＶＤユニット
【図１】
2004266564.tif 000003
【図２】
2004266564.tif 000004
【図３】
2004266564.tif 000005
【図４】
2004266564.tif 000006
【図５】
2004266564.tif 000007
【図６】
2004266564.tif 000008
【図７】
2004266564.tif 000009
【図８】
2004266564.tif 000010